(57)【特許請求の範囲】
【請求項１】
文字情報の送信時の署名データの付加／非付加を設定する設定手段と、
前記設定手段に設定された署名データの付加／非付加の設定に応じて発信者番号の通知／非通知を設定する設定手段と、
を具備することを特徴とする文字情報送信装置。
【請求項２】
請求項１に記載の文字情報送信装置において、
発信者番号の通知／非通知を設定する前記設定手段は、該通知／非通知を一時的に設定することを特徴とする文字情報送信装置。
【請求項３】
請求項１又は２に記載の文字情報送信装置において、
前記署名データが住所、名前、メールアドレス、会社名、役職、年令、趣味の少なくとも１つを含むことを特徴とする文字情報送信装置。
【発明の詳細な説明】
【０００１】
【発明の属する技術分野】
本発明は、文字情報送信装置に係り、特に署名を付加して文字情報の送信を行う送信装置に関する。
【０００２】
【従来の技術】
電子メールの送信時に、メール内容に住所、名前、あるいはメールアドレスなとを署名として付加して送信する方法が知られている。この署名は予めメモリに格納しておき、メール内容に付加するか否かの設定を登録することにより、設定が行われていると自動的にメール内容に付加されて送信される。
署名を登録しておいても付加する設定をしないと、この署名データはメール内容には付加されない。一方、携帯電話装置などの送信装置には、発信者番号通知の機能が備わっている。この発信者番号通知の設定を行うことにより発信者の電話番号の通知が行われる。しかし、発信者番号通知機能のある送信装置であっても、この発信者番号通知の設定をＯＦＦにしておくと、発信者番号は通知されない。従来の文字情報送信装置では、署名を付加あるいは非付加に設定していても、送信ごとに発信者番号を通知するか否かを確認しなければならなかった。
また、通常、署名を付加して送信する場合には、発信者番号通知も同時に行うのが親切であるが、発信者番号通知の設定をＯＦＦにしておくと、署名データは送信されるものの発信者番号通知はされないことになり、受信者側に不信感を持たせる。
【０００３】
【発明が解決しようとする課題】
このように従来の文字情報送信装置では、発信者番号通知の設定のＯＮ／ＯＦＦと署名の付加設定のＯＮ／ＯＦＦとを連動させることなく独立して設定していたため、発信者番号通知をＯＦＦにして発信者の電話番号を相手に知らせたくない場合にも署名の付加設定をＯＮにしてしまっていると署名が付加され、相手に発信元が知られてしまうという不具合があった。
また、通常署名を付加して相手方に送る場合には発信者番号も同時に送る方が親切であるが、この場合にも、発信者番号通知の設定をＯＦＦにしておくと署名データのみしか送信されず相手方に不親切になるという不具合もあった。
本発明は上述した問題点を解消するためになされたもので、署名の付加機能と発信者番号通知機能とを連動させて文字情報の送信を行うことができる文字情報送信装置を提供することを目的とする。
【０００４】
【課題を解決するための手段】
本発明の文字情報送信装置は、文字情報の送信時の署名データの付加／非付加を設定する設定手段と、前記設定手段に設定された署名データの付加／非付加の設定に応じて発信者番号の通知／非通知を設定する設定手段とを具備する。
本発明の文字情報送信装置において、発信者番号の通知／非通知を設定する前記設定手段は、該通知／非通知を一時的に設定することが出来る。
また、前記署名データは住所、名前、メールアドレス、会社名、役職、年令、趣味の少なくとも１つを含むようにすることが出来る。
【０００５】
【発明の実施の形態】
図１は本発明の文字情報送信装置の構成を示すブロック図である。１は署名データ付加／非付加設定記憶メモリで、相手先に署名データ記憶メモリ２に記憶されている署名データを付加してメールなどの送信を行うか、否かを設定する。
なお、ここで署名データとしては、住所、名前、メールアドレス、会社名、役職、年令、趣味などの情報がある。
【０００６】
図示しないキー入力部などから署名データ付加／非付加切替処理部３を用いて署名データの付加／非付加の設定を設定記憶メモリ１に登録する。なお、署名データ記憶メモリ２に記憶される署名データは予めキー入力部などから署名データ作成／編集処理部６を用いて作成され格納されている。
メールなどの文字情報の送信時に、署名データ付加／非付加設定判定処理部４が設定記憶メモリ１の設定を判定することにより、署名データの付加あるいは非付加を判定する。
【０００７】
相手先に発信者番号通知を行うか否かの設定は発信者番号通知ＯＮ／ＯＦＦ設定記憶メモリ１０に設定されている。
ここで、本発明では一時的発信者番号通知ＯＮ／ＯＦＦ処理部７が設けられている。署名データ付加／非付加設定判定処理部４の判定結果が署名データを付加するであった場合には、発信者番号通知ＯＮ／ＯＦＦ設定記憶メモリ１０の設定内容に関係なく一時的発信者番号通知ＯＮ／ＯＦＦ処理部７が一時的に発信者番号通知をＯＮにし、署名データ付加処理部５がメールなどの文字情報に署名データ記憶メモリ２からの署名データを付加し、発信処理部８が無線部９を介して送信を行う。なお、この際、発信者番号通知ＯＮ／ＯＦＦ設定記憶メモリ１０の設定情報内容は変更されない。あるいは変更しても送信後には変更以前の設定に戻る。
【０００８】
ここで、署名データ付加／非付加設定判定処理部４での判定結果が署名データを付加しない場合には、発信者番号通知ＯＮ／ＯＦＦ設定記憶メモリ１０の設定内容に関係なく一時的発信者番号通知ＯＮ／ＯＦＦ処理部７は、一時的に発信者番号通知をＯＦＦにして署名データ記憶メモリ２に登録されている署名データをメールなどの文字情報に付加しないで発信処理部８と無線部９とを介して送信を行う。
この場合も同様に発信者番号通知ＯＮ／ＯＦＦ設定記憶メモリ１０中の情報は変更されることなく、仮に変更されたとしても発信後には変更以前の設定に戻る。
【０００９】
図２は図１の装置の動作を説明するためのフローチャートである。
メール等の文字情報の送信時に（ステップ２０１）、署名データ付加／非付加設定判定処理部４は設定記憶メモリ１をチェックして署名データの付加／非付加がＯＮになっているかＯＦＦになっているかの判定を行う（ステップ２０２）。ＯＦＦの場合には署名を付加せず、かつ、一時的発信者番号通知ＯＮ／ＯＦＦ処理部７は一時的に発信者番号通知を通知しない（ＯＦＦ）にして、送信する（ステップ２０４，２０６）。署名データ付加設定がＯＮであった場合には、署名データ付加処理部５はメールなどの文字情報に署名データを付加する処理を行う（ステップ２０３）。次いで一時的発信者番号通知ＯＮ／ＯＦＦ処理部７は一時的に発信者番号通知をＯＮ（通知する）に設定して送信を行う（ステップ２０５，２０６）。
【００１０】
【発明の効果】
以上説明したように本発明によればユーザがメールなどの文字情報データに署名を付加することを選択した場合には、発信者番号通知のＯＮ／ＯＦＦ設定を確認することなく自動的に発信者番号を通知されるようにできる。
また署名を付加しない選択を行った場合には発信者番号通知も行われないようにできる。
従ってユーザは署名データの付加又は非付加の選択をするに際して、発信者番号通知のＯＮ／ＯＦＦ設定を確認しなくてもよいため便利である。
【図面の簡単な説明】
【図１】本発明の文字情報送信装置の構成を示すブロック図。
【図２】図１の装置の動作を説明するフローチャート。
【符号の説明】
１    署名データ付加／非付加設定記憶メモリ
２    署名データ記憶メモリ
３    署名データ付加／非付加切替処理部
４    署名データ付加／非付加設定判定処理部
５    署名データ付加処理部
６    署名データ作成／編集処理部
７    一時的発信者番号通知ＯＮ／ＯＦＦ処理部
８    発信処理部
９    無線部
１０    発信者番号通知ＯＮ／ＯＦＦ設定記憶メモリ
【図１】
0004326668.tif 000002
【図２】
0004326668.tif 000003